(57)【特許請求の範囲】
【請求項１】
紙幣を装置内部から装置外部の左取出し位置または右取出し位置に押出して出金ガイドする出金ガイド手段と、
上記出金ガイド手段の押出し動作に連動して装置外部の反取出し側からの取出しを規制する取出し規制手段を備えた
紙幣出金ガイド装置。
【請求項２】
紙幣を装置内部から装置外部の取出し位置に出金ガイドする紙幣出金ガイド装置であって、
出金部の左側に独立して進退許容し、かつ外側面に取出し規制片を有する左出金トレーと、
出金部の右側に独立して進退許容し、かつ外側面に取出し規制片を有する右出金トレーと、
上記各々の出金トレーを個別に進退駆動する駆動手段と、
上記駆動手段の駆動に基づいていずれか一方の出金トレーを前進させたとき、これに連動して同トレーの取出し規制片を紙幣取出し規制位置まで前進させる底板とを備えた
紙幣出金ガイド装置。
【請求項３】
請求項１または２記載の紙幣出金ガイド装置を出金口に備えた紙幣入出金機。
【発明の詳細な説明】
【０００１】
【発明の属する技術分野】
この発明は、紙幣を入出金処理する共用テラーマシンの出金口に備えられるような紙幣出金ガイド装置に関し、さらに詳しくは左右両側からのテラー（係員）の紙幣誤取出し操作を解消した紙幣出金ガイド装置及び紙幣入出金機に関する。
【従来の技術】
一般に、この種の出金口は、装置前面の紙幣取出し位置に紙幣の取出し方向に傾斜させた出金トレーを配設し、この出金トレーが装置内部から装置外部の紙幣取出し位置へとスライド移動して出金紙幣を出金ガイドしている。
【０００２】
ところで、このような出金口を有する一台の装置を中央に挟んで両側より２人のテラーが使用する共用テラーマシンに適用した場合は、この共用テラーマシンから出金された紙幣が左側テラーの出金紙幣か右側テラーの出金紙幣であるかをテラーが判断して、操作利用したいずれかのテラーが紙幣を取出し操作している。
【０００３】
ところが、この場合は十分な視認性を考慮しなければならず、共用テラーマシンの配設位置によっては視認不十分となる場合があり、この共用テラーマシンのブラインドオペレーション化を図った場合には、的確な区別がつかないため取扱い操作性が低下し、また出金紙幣を両側のテラーが誤取扱いされる問題を有していた。
【０００４】
【発明が解決しようとする課題】
そこでこの発明は、出金口に出金された紙幣を左右両側のいずれかのテラーが取出す際、正規の紙幣取出し側からは取出し許容し、規制すべき反取出し側からの紙幣の取出しを規制して、適正な取出し側を物理的に特定することができる紙幣出金ガイド装置及び紙幣入出金機の提供を目的とする。
【０００５】
【課題を解決するための手段】
請求項１記載の発明は、紙幣を装置内部から装置外部の左取出し位置または右取出し位置に押出して出金ガイドする出金ガイド手段と、この出金ガイド手段の押出し動作に連動して装置外部の反取出し側からの取出しを規制する取出し規制手段とを備えた紙幣出金ガイド装置であることを特徴とする。
【０００６】
請求項２記載の発明は、紙幣を装置内部から装置外部の取出し位置に出金ガイドする紙幣出金ガイド装置であって、出金部の左側に独立して進退許容し、かつ外側面に取出し規制片を有する左出金トレーと、出金部の右側に独立して進退許容し、かつ外側面に取出し規制片を有する右出金トレーと、左右の出金トレーを個別に進退駆動する駆動手段と、この駆動手段の駆動に基づいて左右いずれか一方の出金トレーを前進させたとき、これに連動して同トレーの取出し規制片を紙幣取出し規制位置まで前進させる底板とを備えたことを特徴とする。
【０００７】
請求項３記載の発明は、紙幣出金ガイド装置を出金口に備えた紙幣入出金機であることを特徴とする。
【０００８】
【発明の作用及び効果】
この発明によれば、紙幣を装置内部から装置外部の左取出し位置または右取出し位置に押出して出金ガイドする際、出金ガイド手段の押出し動作に連動して取出し規制手段が左右いずれかの取出し規制側からの紙幣の取出しを規制するため、この紙幣の出金動作に伴って左右の取出し側を自動的に一つに特定することができる。   従って、装置を中央に挟んで２人のテラーが使用する共用テラーマシンに利用した場合は、放出された紙幣の取出し側をいちいち覗いて確認しなくても、一方を取出し許容し、他方を取出し規制するため、自動的に紙幣の取出し側を特定することができる。この結果、左右両側のテラーによる出金紙幣の誤取扱いを確実に解消することができる。
【０００９】
また、紙幣を装置内部から装置外部の取出し位置に出金ガイドする際、左右いずれかの駆動に基づいて、出金口内の左側に独立して進退許容する左出金トレー、出金口内の右側に独立して進退許容する右出金トレーの一方が前進したときに、底板が連動して出金紙幣を装置外部の取出し位置に押出し、また同トレーと一体の取出し規制片が紙幣取出し規制位置まで前進する。
【００１０】
従って、出金紙幣を誤って他方のテラーが取出し操作しようとしても、そのテラーの手が取出し規制片で規制されるため、テラーによる誤取出しを完全に防止でき、共用テラーマシンに適した出金ガイド利用が図れる。このような紙幣出金ガイド装置を例えば紙幣入出金機の出金口に備えた場合は、出金口の左右に位置するテラーの紙幣の取扱い操作性が確実に向上する。
【００１１】
【実施例】
この発明の一実施例を以下図面に基づいて詳述する。
図１は金融機関の係員窓口に共用テラーマシンとして設置される紙幣入出金機１１を示し、この紙幣入出金機１１は一台を中央に挟んで両側よりテラーが共用して入出金取扱い使用するものであって、この紙幣入出金機１１の正面上部には上方より出金口１２、返却口１３、入金口１４をこの順に配設し、これらと連通する内方に、入出金紙幣の真偽や金種を識別する識別部１５と、紙幣を一時保留する一時保留部１６と、紙幣を金種別に収納する第１〜第４カートリッジＣ1 〜Ｃ4 と、識別不良と判定した紙幣や損券紙幣を回収するリジェクトカートリッジＣ5 とを内蔵し、これらをループ状の搬送ラインＬで接続して、指定された千円札、五千円札、万円札の金種及び枚数を入出金処理する。
【００１２】
図２は出金口１２の紙幣出金構造を示し、この紙幣出金構造は出金口１２の前面に円弧形のラウンドシャッタ１７を開閉許容して設け、このラウンドシャッタ１７の内方に出金紙幣１８を傾斜集積する傾斜空間部１９と、この傾斜空間部１９から出金紙幣１８の取出しを容易にするためのリフトアップ機構２０を内蔵している。
【００１３】
傾斜空間部１９は、ラウンドシャッタ１７の開口時に斜め上方からの紙幣の取出しに適した傾斜角度に開口しており、この傾斜空間部１９の底部に出金経路Ｌ1 が接続され、この出金経路Ｌ1 を介して導かれた出金紙幣１８を傾斜空間部１９に取込んで横長の傾斜状態に集積する。この傾斜空間部１９の底板２１を傾斜方向に沿ってリフトアップさせるリフトアップ機構２０を設けることにより出金紙幣１８を内部待機位置Ｐ1 から外部取出し位置Ｐ2 へと放出移動させる。また、底板２１の下部には元位置復帰バネＳを取付けており、リフトアップ解除後の底板２１を外部取出し位置Ｐ2 から元位置の内部待機位置Ｐ1 に復帰させる。
【００１４】
図３はリフトアップ機構２０を示し、これは中央部の底板２１と、その両側に左出金トレー２２と右出金トレー２３とを対称形に配設して傾斜空間部１９内を横方向に３分割して構成する。
【００１５】
先ず、中央部の底板２１はＬ形状を有し、この底板水平片２１ａ側が紙幣長さ以上に横長に大きく設け、これより起立して設けられた中央部小幅の底板起立片２１ｂの背面側にスライド凸部２１ｃを突設している。このスライド凸部２１ｃが傾斜空間部１９を形成する外枠フレーム２４の内面中央部に固定された凹形レール２４ａに支持されて傾斜方向にスライド許容して設けている。
【００１６】
また、左出金トレー２２は背面側にスライド凸部２２ａを突設し、このスライド凸部２２ａが外枠フレーム２４の内面左側に固定された凹形レール２４ｂに支持されて傾斜方向にスライド許容される。
【００１７】
さらに、この左出金トレー２２の左側には、底板水平片２１ａの左端部を包込むようにＬ形に折曲した左取出し規制片２２ｂを延設し、左出金トレー２２を内部待機位置Ｐ1 から外部取出し位置Ｐ2 へとスライドさせてリフトアップしたとき、左取出し規制片２２ｂが出金紙幣の左端側を包込むように左外側面に位置して左側からの出金紙幣の取出しを規制する。
【００１８】
また、左出金トレー２２の底面には、底板水平片２１ａの底面側に延出させた底板係止片２２ｃを折曲形成し、左出金トレー２２のリフトアップ時に底板係止片２２ｃが底板水平片２１ａを係止して一体に持上げ、底板２１と一体にリフトアップする連動リフトアップ構成をとっている。
【００１９】
上述の左出金トレー２２と左右対称の同構造を有する右出金トレー２３は背面側にスライド凸部２３ａを突設し、このスライド凸部２３ａが外枠フレーム２４の内面右側に固定された凹形レール２４ｃに支持されて傾斜方向にスライド許容される。
【００２０】
さらに、この右出金トレー２３の右側には、底板水平片２１ａの右端部を包込むようにＬ形に折曲した右取出し規制片２３ｂを延設し、右出金トレー２３を内部待機位置Ｐ1 から外部取出し位置Ｐ2 へとスライドさせてリフトアップしたとき、右取出し規制片２３ｂが出金紙幣の右端側を包込むように右外側面に位置して右側からの出金紙幣の取出しを規制する。
【００２１】
また、右出金トレー２３の底面には、底板水平片２１ａの底面側に延出させた底板係止片２３ｃを折曲形成し、右出金トレー２３のリフトアップ時に底板係止片２３ｃが底板水平片２１ａを係止して一体に持上げ、底板２１と一体にリフトアップする連動リフトアップ構成をとっている。
【００２２】
図４はトレー駆動装置４１を示し、このトレー駆動装置４１は左出金トレー２２と右出金トレー２３とをそれぞれ専用に独立して駆動する左右対称に備えられ、例えば左出金トレー２２側について説明すると、この左出金トレー２２の背面側に傾斜方向に沿ってラック４２を形成し、このラック４２に噛合するピニオン４３を駆動ギャ４４を介してリフトアップ駆動モータＭを正逆転駆動することにより、左出金トレー２２を独立して進退移動させる。
【００２３】
このとき、左出金トレー２２が内部待機位置Ｐ1 から外部取出し位置Ｐ2 に向けてスライド移動することに伴って、これに係止対応された底板２１が同時に外部取出し位置Ｐ2 まで移動し、この底板２１上に整列集積された出金紙幣１８が外部の紙幣取出し位置にリフトアップされる。
このように構成された紙幣入出金機１１の紙幣出金ガイド動作を次に説明する。
【００２４】
この紙幣入出金機１１の出金口１２は、通常、図５に示すように、横方向に３分割された左出金トレー２２と、底板２１と、右出金トレー２３とが内方の傾斜空間部１９に位置して、ここで出金すべき出金紙幣１８を集積待機している。
【００２５】
この集積待機された出金指定金額を出金するときは、ラウンドシャッタ１７を開けた後、左側より取扱い操作する左テラーＴ1 または右側より取扱い操作する右テラーＴ2 に対応するいずれかの出金トレーをリフトアップさせて出金紙幣１８を内部待機位置Ｐ1 から外部取出し位置Ｐ2 へと出金ガイドする。
【００２６】
この場合、左テラーＴ1 の出金操作に伴って紙幣を出金ガイドするときは、図６に示すように、反対側の右出金トレー２３のトレー駆動装置を駆動して、この右出金トレー２３と共に底板２１をリフトアップさせる。このとき、右出金トレー２３のリフトアップ動作に連動して、その右外側面にリフトアップして位置する右取出し規制片２３ｂが出金口１２の右側外方で遮蔽板の役割を果して出金口右側からの紙幣取出し操作を規制し、この出金紙幣１８の放出動作に伴って紙幣の取出し側を自動的に左側に特定する。
【００２７】
このとき、仮に右テラーＴ2 が誤って紙幣を取出し操作しようとしても、その右テラーＴ2 の手先が右取出し規制片２３ｂに当たって侵入規制されるため、右テラーＴ2 による誤取出しを完全に防止することができる。
【００２８】
このように、左右のテラーＴ1 ，Ｔ2 は放出された紙幣の取出し側をいちいち確認しなくても、自ずと左方からの取出しが許容され、右方からの取出しが規制されるため、紙幣の取扱い操作性が向上する。
【００２９】
図７は右テラーＴ2 側からの出金紙幣１８の取出し操作を示し、この場合は左出金トレー２２と共に底板２１をリフトアップさせて出金紙幣１８を内部待機位置Ｐ1 から外部取出し位置Ｐ2 に出金ガイドし、このとき左出金トレー２２と共に左取出し規制片２２ｂが出金口１２の左側外方を遮蔽して出金口左側からの紙幣の取出しを規制する。
【００３０】
これにより、左テラーＴ1 が誤って出金紙幣１８を取出し操作しようとしても、その左テラーＴ1 側からの手先を左取出し規制片２２ｂが侵入規制して左テラーＴ1 による誤取出しを完全に防止する。
【００３１】
上述のように、出金紙幣を紙幣入出金機の内部待機位置から外部の取出し位置にリフトアップして出金ガイドする際、出金紙幣のリフトアップ動作に連動して左右いずれかの取出し規制片が外方に突出して取出し規制側からの紙幣の取出しを規制するため、この出金動作に伴って左右いずれかの取出し側を自動的に一つに特定することができる。従って、紙幣入出金機を中央に挟んで２人使用する共用テラーマシンに利用した場合は、放出された出金紙幣の取出し側をいちいち確認しなくても、一方を取出し許容し、他方を取出し規制するため、自動的に出金紙幣の取出し側を特定でき、これにより出金紙幣の誤取扱いを解消することができる。また、出金トレーの動きに底板を連動させることにより、出金紙幣を能率よく外部取出し位置に出金ガイドすることができる。さらに、この紙幣入出金機を共用テラーマシンに利用することにより、左右のテラーは出金紙幣の取扱い操作性が確実に向上する。
【００３２】
この発明と、上述の一実施例の構成との対応において、
この発明の出金ガイド手段は、実施例のリフトアップ機構２０に対応し、
以下同様に、
取出し規制手段は、左取出し規制片２２ｂと右取出し規制片２３ｂとに対応し、   駆動手段は、トレー駆動装置４１に対応するも、この発明は請求項に示される技術思想に基づいて応用することができ、上述の一実施例の構成のみに限定されるものではない。
【図面の簡単な説明】
【図１】  この発明の紙幣入出金機の内部構成図。
【図２】  この発明の紙幣入出金機の出金口の内部状態を示す概略側面図。
【図３】  この発明のラウンドシャッタ開口時の出金口を示す図２のＡ矢視図。
【図４】  この発明の出金口のトレー駆動装置を示す要部側面図。
【図５】  この発明の出金口の左右出金トレーの内部待機状態を示す図２のＢ矢視図。
【図６】  この発明の右テラー出金利用状態を示す説明図。
【図７】  この発明の左テラー出金利用状態を示す説明図。
【符号の説明】
１１…紙幣入出金機
１２…出金口
１８…出金紙幣
１９…傾斜空間部
２０…リフトアップ機構
２１…底  板
２２…左出金トレー
２２ｂ…左取出し規制片
２２ｃ…底板係止片
２３…右出金トレー
２３ｂ…右取出し規制片
２３ｃ…底板係止片
Ｐ1 …内部待機位置
Ｐ2 …外部取出し位置
４１…トレー駆動装置
Ｔ1 …左テラー
Ｔ2 …右テラー
【図１】
0003705928.tif 000002
【図２】
0003705928.tif 000003
【図３】
0003705928.tif 000004
【図４】
0003705928.tif 000005
【図５】
0003705928.tif 000006
【図６】
0003705928.tif 000007
【図７】
0003705928.tif 000008